(57)【要約】【課題】複数の機能を有する電子機器において、全機能のうち未使用機能の使用をユーザに対して積極的に喚起する。【解決手段】複数の機能を有する電子機器であって、複数の機能のうち任意の機能の実行指示を受け付ける入力部と、電子機器の機能の使用状況を定める機能使用状況情報を記憶する記憶部と、機能の実行指示に応じて実行された機能の使用状況情報を出力する出力部と、出力部に出力される機能の使用状況情報を生成する出力内容生成部と、を備え、出力内容生成部は、機能使用状況情報から実行された機能の使用回数を基に、娯楽性の高い前記機能の使用状況情報を生成する。【選択図】図１
2012226518.tif 000002
【特許請求の範囲】
【請求項１】
複数の機能を有する電子機器であって、
前記複数の機能のうち任意の機能の実行指示を受け付ける入力部と、
前記電子機器の機能の使用状況を定める機能使用状況情報を記憶する記憶部と、
前記機能の実行指示に応じて実行された機能の使用状況情報を出力する出力部と、
前記出力部に出力される前記機能の使用状況情報を生成する出力内容生成部と、を備え、
前記出力内容生成部は、前記機能使用状況情報から前記実行された機能の使用回数を基に、娯楽性の高い前記機能の使用状況情報を生成する電子機器。
【請求項２】
請求項１に記載の電子機器であって、
前記記憶部は、前記電子機器の習熟レベルを判定するための習熟レベル判定情報を更に記憶し、
前記出力内容生成部は、前記電子機器の習熟レベルを、前記習熟レベル判定情報を基に判定して前記娯楽性の高い前記機能の使用状況情報とする電子機器。
【請求項３】
請求項１に記載の電子機器であって、
前記記憶部は、前記電子機器における文字の使用傾向を判定するための文字使用傾向判定情報を更に記憶し、
前記出力内容生成部は、前記電子機器における文字の使用傾向を、前記文字使用傾向判定情報を基に判定して前記娯楽性の高い前記機能の使用状況情報とする電子機器。
【請求項４】
請求項２又は３に記載の電子機器であって、
前記出力内容生成部は、前記実行された機能の使用回数の累計を基に、前記電子機器の習熟レベル又は前記電子機器における文字の使用傾向を判定する電子機器。
【請求項５】
請求項２又は３に記載の電子機器であって、
前記出力内容生成部は、前記実行された機能の所定の期間における使用有無及び使用回数の累計を基に、前記電子機器の習熟レベル又は前記電子機器における文字の使用傾向を判定する電子機器。
【発明の詳細な説明】
【技術分野】
【０００１】
本発明は、複数の機能を有する電子機器に関する。
【背景技術】
【０００２】
携帯電話機等の電子機器は、複数の機能を有し、様々な機能をユーザに対して提供可能である。近年の電子機器の搭載機能数は飛躍的に多くなってきている。ユーザは、電子機器に搭載されている全ての機能を覚えられず、また覚えていても機能を適時に使えないことが多い。
【０００３】
このため、この様な電子機器においては、搭載されている全機能のうち一部の機能しか使用されていないことが多い。
【０００４】
未使用機能をユーザに使用させる為の方法として、例えば特許文献１に記載の電子機器及び情報処理方法が知られている。特許文献１においては、電子機器に実装されている全機能のうち、未使用機能を検出する。この検出された未使用機能を、図１２に表す。
【０００５】
更に、特許文献１においては、電子機器は、未使用機能に係る情報を生成し、未使用機能に関する情報を表示部に表示する（図１３参照）。図１２は、従来の電子機器において未使用の機能一覧を表す説明図である。図１３は、従来の電子機器において未使用の機能に関するヘルプ画面の一例を表す説明図である。特許文献１の電子機器によれば、電子機器に搭載されている全機能のうち未使用機能の存在をユーザに把握させることはできる。
【先行技術文献】
【特許文献】
【０００６】
【特許文献１】特開２００９−０３１８６０号公報
【発明の概要】
【発明が解決しようとする課題】
【０００７】
しかしながら、上述した特許文献１の電子機器では、ユーザに対し、全機能のうち未使用機能を使用してみようとする意欲を積極的に喚起することは困難であると考えられる。
【０００８】
本発明は、上述した従来の事情に鑑みてなされたものであり、複数の機能を有する電子機器において、全機能のうち未使用機能の使用をユーザに対して積極的に喚起する電子機器を提供することを目的とする。
【課題を解決するための手段】
【０００９】
本発明は、上述した従来の課題を解決するために、複数の機能を有する電子機器であって、前記複数の機能のうち任意の機能の実行指示を受け付ける入力部と、前記電子機器の機能の使用状況を定める機能使用状況情報を記憶する記憶部と、前記機能の実行指示に応じて実行された機能の使用状況情報を出力する出力部と、前記出力部に出力される前記機能の使用状況情報を生成する出力内容生成部と、を備え、前記出力内容生成部は、前記機能使用状況情報から前記実行された機能の使用回数を基に、娯楽性の高い前記機能の使用状況情報を生成する。
【００１０】
上述した構成によれば、複数の機能を有する電子機器において、全機能のうち未使用機能の使用をユーザに対して積極的に喚起することができる。
【発明の効果】
【００１１】
本発明によれば、複数の機能を有する電子機器において、全機能のうち未使用機能の使用をユーザに対して積極的に喚起することができる。
【図面の簡単な説明】
【００１２】
【図１】実施の形態１の電子機器の内部構成の一例を表すブロック図
【図２】実施の形態１の機能使用状況情報の一例をテーブル形式で表した説明図
【図３】実施の形態１の習熟レベル判定情報の一例をテーブル形式で表した説明図
【図４】実施の形態１における出力部の出力例を表す表示例
【図５】実施の形態１における機能使用状況の出力例を表す表示例
【図６】実施の形態１の出力内容生成部の動作を説明するフローチャート
【図７】実施の形態２の機能使用状況情報の一例をテーブル形式で表した説明図
【図８】実施の形態２の文字使用傾向判定情報の一例をテーブル形式で表した説明図
【図９】実施の形態２における出力部の出力例を表す表示例
【図１０】実施の形態２における機能使用状況の出力例を表す表示例
【図１１】実施の形態２における出力内容生成部の動作を説明するフローチャート
【図１２】従来の電子機器において未使用の機能一覧を表す説明図
【図１３】従来の電子機器において未使用の機能に関するヘルプ画面の一例を表す説明図
【発明を実施するための形態】
【００１３】
以下、本発明に係る電子機器の各実施の形態について、図面を参照して説明する。各実施の形態においては、本発明に係る電子機器として、携帯電話機を例示して説明する。但し、本発明に係る電子機器は、携帯電話機に限定されず、例えばスマートフォン、ＰＤＡ（personal digital assistant）、ノートＰＣ（personal computer）、デジタルスチルカメラ又は電子書籍端末等でも良い。
【００１４】
なお、本発明は、携帯電話機の様な装置、又は携帯電話機をコンピュータとして動作させるためのプログラムとして表現することも可能である。更に、本発明は、携帯電話機により実行される処理（ステップ）を含む方法として表現することも可能である。即ち、本発明は、装置、方法及びプログラムのうちいずれのカテゴリーでも表現可能である。
【００１５】
以下の各実施の形態において、習得機能数を、携帯電話機において現在日付を基準に過去１年以内に使用され、且つ、合計２回以上使用された機能の数（使用回数の累計が２以上となる機能の数）と定義する。但し、習得機能数の定義において、過去１年以内又は合計２回以上としたのはあくまでも例示であり、各数値に限定されない。
【００１６】
（実施の形態１）
先ず、実施の形態１の携帯電話機１００の構成及び動作について、図１〜図６を参照して説明する。
【００１７】
実施の形態１では、携帯電話機は、複数の機能を有し、一定の条件を満たすとき、実行された機能の使用回数を基に携帯電話機の習熟レベルを判定する。更に、携帯電話機は、判定された携帯電話機の習熟レベルを、娯楽性の高い出力内容（機能の使用状況情報）として出力部に出力する。
【００１８】
以下の各実施の形態においては、出力部による出力態様の一例としてＬＣＤ（Liquid Crystal Display）等のディスプレイを用いた表示形態とする。なお、出力部による出力態様の他の例としては、スピーカ等を用いた音声出力形態が該当する。
【００１９】
図１は、実施の形態１の電子機器１００の内部構成の一例を表すブロック図である。電子機器１００は、図１に表す様に、入力部１１１、記憶部１１２、制御部１１３、出力制御部１１４、出力部１１５、アンテナＡＮが接続された無線通信部１１６、ＲＯＭ１１７及びＲＡＭ１１８を含む構成である。
【００２０】
なお、図１において、入力部１１１、記憶部１１２、制御部１１３、出力制御部１１４、無線通信部１１６、ＲＯＭ１１７及びＲＡＭ１１８は内部バスＢＳを介して接続されている。
【００２１】
入力部１１１は、ユーザが携帯電話機１００に対する操作を入力するためのユーザインタフェースであり、ユーザの操作に応じて、携帯電話機１００における複数の機能のうち任意の機能の実行指示を受け付ける。
【００２２】
入力部１１１は、例えば、電話番号等を入力するテンキー、オンフック又はオフフックを行う通話器キー及びファンクションキー等の各種キーで構成可能である。また、入力部１１１は、出力部１１５の上に配置され、ユーザの指又はスタイラスペン等による入力操作を受け付け可能なタッチパネル等で構成されても良い。
【００２３】
記憶部１１２は、携帯電話機１００に内蔵されるハードディスク又はフラッシュメモリ等で構成され、機能使用状況情報１２０（図２参照）及び習熟レベル判定情報１２１（図３参照）を記憶している。
【００２４】
図２は、実施の形態１の機能使用状況情報１２０の一例をテーブル形式で表した説明図である。機能使用状況情報１２０は、携帯電話機１００の機能を階層毎に分類して各機能の合計使用回数及び最終使用日を定める。
【００２５】
図２の機能使用状況情報１２０において、例えば電話機能の音声電話機能の合計使用回数は１００回であり、電話機能の音声電話機能の最終使用日は２０１０年１２月１日である。
【００２６】
同様に、電話機能のテレビ電話機能の合計使用回数は１回であり、電話機能のテレビ電話機能の最終使用日は２００９年１月１日である。
【００２７】
同様に、電話機能の自局番号表示機能の合計使用回数は２回であり、電話機能の自局番号表示機能の最終使用日は２００９年１月１日である。
【００２８】
同様に、電話機能の伝言メモ機能の合計使用回数は０回であり、電話機能の伝言メモ機能の最終使用日はＮｕｌｌ（−）である。
【００２９】
同様に、電話帳機能の電話帳編集機能の合計使用回数は１００回であり、電話帳機能の電話帳編集機能の最終使用日は２０１０年１月１日である。
【００３０】
同様に、電話帳機能の電話帳検索機能の合計使用回数は５０回であり、電話帳機能の電話帳検索機能の最終使用日は２０１０年１月１日である。
【００３１】
同様に、電話帳機能のグループ設定機能の合計使用回数は１０回であり、電話帳機能のグループ設定機能の最終使用日は２０１０年６月１日である。
【００３２】
同様に、電話帳機能の電話帳設定機能の合計使用回数は３回であり、電話帳機能の電話帳設定機能の最終使用日は２０１０年６月１日である。
【００３３】
なお、図２において、現在の日付を２０１０年１２月３１日とした場合に過去１年間に使用された機能を、図６のフローチャートの説明のために便宜的に網掛け表示している。
【００３４】
図３は、実施の形態１の習熟レベル判定情報１２１の一例をテーブル形式で表した説明図である。習熟レベル判定情報１２１は、携帯電話機１００の習得機能数毎に習熟レベルを定める。
【００３５】
例えば、習得機能数が０（ゼロ）である場合には、習熟レベルは初心者レベルとなる。
【００３６】
同様に、習得機能数が１である場合には、習熟レベルは初心者レベルとなる。
【００３７】
同様に、習得機能数が２である場合には、習熟レベルは初級者レベルとなる。
【００３８】
同様に、習得機能数が３である場合には、習熟レベルは初級者レベルとなる。
【００３９】
同様に、習得機能数が４である場合には、習熟レベルは中級者レベルとなる。
【００４０】
同様に、習得機能数が５である場合には、習熟レベルは中級者レベルとなる。
【００４１】
同様に、習得機能数が６である場合には、習熟レベルは上級者レベルとなる。
【００４２】
同様に、習得機能数が７である場合には、習熟レベルは上級者レベルとなる。
【００４３】
同様に、習得機能数が８である場合には、習熟レベルは達人レベルとなる。なお、習得機能数が８以上である場合にも、習熟レベルは達人レベルとしても良い。
【００４４】
制御部１１３は、携帯電話機１００に内蔵されるＣＰＵ（central processing unit）等で構成され、携帯電話機１００の各部の動作を制御する。制御部１１３は、入力部１１１により入力された機能の実行指示に応じた情報処理を行い、又は、一定の間隔で特定の情報処理を行い、必要に応じて出力制御部１１４を介して出力部１１５に情報処理の結果を出力させる。
【００４５】
制御部１１３は、各種の情報処理の際に、ＲＡＭ１１８又は記憶部１１２に情報を記憶し、又は記憶している情報を用いて情報処理を行う。
【００４６】
また、制御部１１３は、内部時計ＣＬＫ、及び出力内容生成部１１９を少なくとも含む構成である。
【００４７】
内部時計ＣＬＫは、例えば携帯電話機１００をコンピュータとして動作させるＯＳ（Operating System）の機能の一つであり、携帯電話機１００のシステムクロック（時計）である。内部時計ＣＬＫの出力信号、即ち情報処理装置１０１の時計情報は出力内容生成部１１９に出力される。
【００４８】
出力内容生成部１１９は、一定の条件が成立すると動作する。以下の各実施の形態においては、一定の条件として、例えば、入力部１１１が受け付けたユーザの操作に応じて、携帯電話機１００の任意の機能が実行されたときとする。
【００４９】
出力内容生成部１１９は、入力部１１１が受け付けた機能の実行指示に応じて当該機能が実行されたとき、機能使用状況情報１２０及び習熟レベル判定情報１２１を基に、ユーザの携帯電話機１００の習熟レベルを判定する。出力内容生成部１１９は、判定された習熟レベルを、娯楽性の高い出力内容として出力制御部１１４に出力する。なお、出力内容生成部１１９の動作は図６を用いて後述する。
【００５０】
出力制御部１１４は、制御部１１３又は出力内容生成部１１９からの出力に応じて、文字、表、画像、映像及びこれらのうちいずれかの組合せ等を含む出力内容である画面データを生成して出力部１１５に出力する様に出力部１０５を制御する。
【００５１】
出力部１１５は、例えば携帯電話機１００のＬＣＤにより構成され、出力制御部１１４の制御の下で、出力対象となる画面を表示する（図４及び図５参照）。図４は、実施の形態１における出力部１１５の出力例を表す表示例である。図５は、実施の形態１における機能使用状況の出力例を表す表示例である。
【００５２】
図４において、出力部１１５には、携帯電話機１００のユーザに対し、「あなたの習熟レベルが［ＸＸＸＸＸレベル］になりました。」というメッセージ、及びリンク付きの機能使用状況４０１が表示されている。
【００５３】
図４において、ユーザの操作に応じてリンク付きの機能使用状況４０１が選択された場合には、図５に表す様に、出力制御部１１４は、出力部１１５に習熟レベルが出力された時点における携帯電話機１００の機能の使用状況を出力する。なお、図５に表した機能の使用状況は、携帯電話機１００の全機能の使用状況の一例である。
【００５４】
なお、以下の各実施の形態において、出力部１１５の出力形態は、画面表示に限定されず、例えば、音声出力でも構わない。この場合、出力制御部１１４は、制御部１１３又は出力内容生成部１１９からの出力に応じて、文字、表、画像、映像及びこれらのうちいずれかの組合せ等を含む出力内容である音声データを出力部１１５に出力する様に出力部１０５を制御する。更に、出力部１１５は、例えば携帯電話機１００に内蔵されたスピーカ等により構成され、出力制御部１１４の制御の下で、出力対象となる音声を出力する。
【００５５】
無線通信部１１６は、アンテナＡＮを介して不図示の基地局との間で、文字、画像、映像、音声又はこれらの組合せを送受信する。例えば、無線通信部１１６は、例えば携帯電話機１００の電話機能において、アンテナＡＮを介して受信した音声信号を復調して制御部１１３に出力する。制御部１１３は、復調された音声データを、出力制御部１１４を介してスピーカ等の出力部１１５に出力する。
【００５６】
また、無線通信部１１６は、例えば携帯電話機１００のメール機能において、ユーザの操作に応じて入力部１１１により入力された文字等の入力データを含むメールを、アンテナＡＮを介して不図示の基地局に送信する。
【００５７】
ＲＯＭ１１７は、携帯電話機１００における制御部１１３、出力制御部１１４及び出力内容生成部１１９の各部の動作が予め規定された各プログラムを記憶している。なお、制御部１１３、出力制御部１１４及び出力内容生成部１１９の各部は、ハードウェア又はソフトウェアで構成することが可能である。特に、これらの各部がソフトウェアにより構成される際には、携帯電話機１００に内蔵されているＣＰＵが当該各部の動作が予め規定されたプログラムをＲＯＭ１１７から読み出すことにより、当該各部が動作可能となる。
【００５８】
ＲＡＭ１１８は、制御部１１３、出力制御部１１４、無線通信部１１６及び出力内容生成部１１９の各部の動作における各々のワークメモリとして動作する。
【００５９】
次に、出力内容生成部１１９の動作を、図６を参照して説明する。図６は、実施の形態１の出力内容生成部１１９の動作を説明するフローチャートである。
【００６０】
図６では、ユーザが携帯電話機１００の全機能のうちいずれかの機能を実行した場合の動作を説明する。
【００６１】
（第１の動作例）
例えば、図６における出力内容生成部１１９の第１の動作例として、現在日付を２０１０年１２月３１日とし、ユーザがこの日に携帯電話機１００の伝言メモ機能を実行（使用）した場合を説明する。また、現在日付時点の機能使用状況情報１２０は図２の内容とする。
【００６２】
なお、図２によれば、ユーザの習得機能数は５つであるため、ユーザが伝言メモ機能を実行する前の状態におけるユーザの習熟レベルは中級者レベルとなる（図３参照）。
【００６３】
図６において、ユーザが携帯電話機１００の伝言メモ機能を実行（使用）した後（Ｓ１０１、ＹＥＳ）、出力内容生成部１１９は、制御部１１３から内部時計ＣＬＫの出力（現在日付）を取得して把握する（Ｓ１０２）。出力内容生成部１１９は、機能使用状況情報１２０を記憶部１１２から読み出し（Ｓ１０３）、機能使用状況情報１２０の伝言メモ機能の合計使用回数及び最終使用日を、「１」及び「２０１０年１２月３１日」に更新する（Ｓ１０３）。
【００６４】
出力内容生成部１１９は、ステップＳ１０３において更新した機能使用状況情報１２０から、過去１年以内の機能の使用有無及び合計２回以上使用された全機能数をカウントする。第１の動作例においては、現在日付において伝言メモ機能の実行前の過去１年以内の使用機能数は５つ（音声電話機能、電話帳編集機能、電話帳検索機能、グループ設定機能、電話帳設定機能）で、現在日付において伝言メモ機能の実行後の過去１年以内の使用機能数は６つ（音声電話機能、伝言メモ機能、電話帳編集機能、電話帳検索機能、グループ設定機能、電話帳設定機能）となる。
【００６５】
更に、これらの６つの機能のうち、合計２回以上使用された機能数は、伝言メモ機能の合計使用回数が「１」であるために５（音声電話機能、電話帳編集機能、電話帳検索機能、グループ設定機能、電話帳設定機能）となる。出力内容生成部１１９は、上述した習得機能数の定義に鑑み、ユーザの伝言メモ機能の実行後における習得機能数を５と判定する（Ｓ１０４）。
【００６６】
ステップＳ１０４の後、出力内容生成部１１９は、習熟レベル判定情報１２１を記憶部１１２から読み出して（Ｓ１０５）、習熟レベル判定情報１２１及び習得機能数を基に、ユーザの携帯電話機１００における習熟レベルを判定する（Ｓ１０６）。第１の動作例においては、出力内容生成部１１９は、習熟レベルを中級者レベルと判定する。
【００６７】
出力内容生成部１１９は、ステップＳ１０７において前回判定したときの習熟レベルと比較する（Ｓ１０７）。なお、前回判定したときの習熟レベルは、記憶部１１２に記憶されているとする。前回判定したときの習熟レベルは中級者レベルであるとする。
【００６８】
ステップＳ１０６において判定された習熟レベル（中級者レベル）と同一であると（Ｓ１０７、ＹＥＳ）、出力内容生成部１１９は特に何も実施せず、図６のフローチャートの処理は終了する。
【００６９】
（第２の動作例）
次に、図６における出力内容生成部１１９の第２の動作例として、上述した第１の動作例における日付（２０１０年１２月３１日）から３日経過し、現在日付を２０１１年１月３日とし、ユーザがこの日に携帯電話機１００の音声電話機能を実行（使用）した場合を説明する。
【００７０】
第２の動作例の説明を簡単にするため、ユーザは、第１の動作例において伝言メモ機能を使用した時から２０１１年１月３日に音声電話機能を実行する前に、図２の各機能を一度も使用していないとする。従って、第２の動作例においてユーザが音声電話機能を使用する前における機能使用状況情報１２０の各機能の各合計使用回数は、第１の動作例においてユーザが伝言メモ機能を使用した直後における各回数となる。
【００７１】
なお、第２の動作例の前におけるユーザの習得機能数は第１の動作例において説明した様に５つであるため、ユーザが音声電話機能を実行する前の状態におけるユーザの習熟レベルは中級者レベルとなる。
【００７２】
図６において、ユーザが携帯電話機１００の音声電話機能を実行（使用）した後（Ｓ１０１、ＹＥＳ）、出力内容生成部１１９は、制御部１１３から内部時計ＣＬＫの出力（現在日付）を取得して把握する（Ｓ１０２）。出力内容生成部１１９は、機能使用状況情報１２０を記憶部１１２から読み出し（Ｓ１０３）、機能使用状況情報１２０の音声電話機能の合計使用回数及び最終使用日を、「１０１」及び「２０１１年１月３日」に更新する（Ｓ１０３）。
【００７３】
出力内容生成部１１９は、ステップＳ１０３において更新した機能使用状況情報１２０から、過去１年以内の機能の使用有無及び合計２回以上使用された全機能数をカウントする。第２の動作例においては、現在日付において音声電話機能の実行前の過去１年以内の使用機能数は４つ（音声電話機能、伝言メモ機能、グループ設定機能、電話帳設定機能）で、現在日付において音声電話機能の実行後の過去１年以内の使用機能数は４つ（音声電話機能、伝言メモ機能、グループ設定機能、電話帳設定機能）となる。
【００７４】
更に、これらの４つの機能のうち、合計２回以上使用された機能数は、伝言メモ機能の合計使用回数が「１」であるために３（音声電話機能、グループ設定機能、電話帳設定機能）となる。出力内容生成部１１９は、上述した習得機能数の定義に鑑み、ユーザの音声電話機能の実行後における習得機能数を３と判定する（伝言メモ機能は習得機能数にカウントされない）。
【００７５】
ステップＳ１０４の後、出力内容生成部１１９は、習熟レベル判定情報１２１を記憶部１１２から読み出して（Ｓ１０５）、習熟レベル判定情報１２１及び習得機能数を基に、ユーザの携帯電話機１００における習熟レベルを判定する（Ｓ１０６）。第２の動作例においては、出力内容生成部１１９は、習熟レベルを初級者レベルと判定する。
【００７６】
出力内容生成部１１９は、ステップＳ１０７において前回判定したときの習熟レベルと比較する（Ｓ１０７）。なお、前回判定したときの習熟レベルは、記憶部１１２に記憶されているとする。
【００７７】
ステップＳ１０６において判定された習熟レベル（初級者レベル）と同一でないため（Ｓ１０７、ＮＯ）、出力内容生成部１１９は表示内容（図４参照）を生成し（Ｓ１０８）、図６のフローチャートの処理は終了する。
【００７８】
（第３の動作例）
更に、図６における出力内容生成部１１９の第３の動作例として、上述した第２の動作例における日付（２０１１年１月３日）から１日経過し、現在日付を２０１１年１月４日とし、ユーザがこの日に携帯電話機１００の伝言メモ機能を実行（使用）した場合を説明する。
【００７９】
第３の動作例の説明を簡単にするため、ユーザは、第２の動作例において音声電話機能を使用した時から２０１１年１月４日に伝言メモ機能を実行する前に、図２の各機能を一度も使用していないとする。従って、第３の動作例においてユーザが伝言メモ機能を使用する前における機能使用状況情報１２０の各機能の各合計使用回数は、第２の動作例においてユーザが音声電話機能を使用した直後における各回数となる。
【００８０】
なお、第３の動作例の前におけるユーザの習得機能数は第２の動作例において説明した様に３つであるため、ユーザが伝言メモ機能を実行する前の状態におけるユーザの習熟レベルは初級者レベルとなる。
【００８１】
図６において、ユーザが携帯電話機１００の伝言メモ機能を実行（使用）した後（Ｓ１０１、ＹＥＳ）、出力内容生成部１１９は、制御部１１３から内部時計ＣＬＫの出力（現在日付）を取得して把握する（Ｓ１０２）。出力内容生成部１１９は、機能使用状況情報１２０を記憶部１１２から読み出し（Ｓ１０３）、機能使用状況情報１２０の伝言メモ機能の合計使用回数及び最終使用日を、「２」及び「２０１１年１月４日」更新する（Ｓ１０３）。
【００８２】
出力内容生成部１１９は、ステップＳ１０３において更新した機能使用状況情報１２０から、過去１年以内の機能の使用有無及び合計２回以上使用された全機能数をカウントする。第３の動作例においては、現在日付において伝言メモ機能の実行前の過去１年以内の使用機能数は４つ（音声電話機能、伝言メモ機能、グループ設定機能、電話帳設定機能）で、現在日付において伝言メモ機能の実行後の過去１年以内の使用機能数は４つ（音声電話機能、伝言メモ機能、グループ設定機能、電話帳設定機能）となる。
【００８３】
更に、これらの４つの機能のうち、合計２回以上使用された機能数は、伝言メモ機能の合計使用回数が「２」であるために４（音声電話機能、伝言メモ機能、グループ設定機能、電話帳設定機能）となる。出力内容生成部１１９は、上述した習得機能数の定義に鑑み、ユーザの伝言メモ機能の実行後における習得機能数を４と判定する（伝言メモ機能は習得機能数にカウントされる）。
【００８４】
ステップＳ１０４の後、出力内容生成部１１９は、習熟レベル判定情報１２１を記憶部１１２から読み出して（Ｓ１０５）、習熟レベル判定情報１２１及び習得機能数を基に、ユーザの携帯電話機１００における習熟レベルを判定する（Ｓ１０６）。第３の動作例においては、出力内容生成部１１９は、習熟レベルを中級者レベルと判定する。
【００８５】
出力内容生成部１１９は、ステップＳ１０７において前回判定したときの習熟レベルと比較する（Ｓ１０７）。なお、前回判定したときの習熟レベルは、記憶部１１２に記憶されているとする。
【００８６】
ステップＳ１０６において判定された習熟レベル（中級者レベル）と同一でないため（Ｓ１０７、ＮＯ）、出力内容生成部１１９は表示内容（図４参照）を生成し（Ｓ１０８）、図６のフローチャートの処理は終了する。
【００８７】
以上により、実施の形態１の携帯電話機１００は、ユーザに対し、携帯電話機１００の習熟レベルという娯楽性の高い内容で携帯電話機１００の機能使用状況を認識させる。これにより、携帯電話機１００によれば、ユーザが図４の出力内容を見た場合に、図５の機能使用状況情報をユーザに対して出力可能にすることで、全機能のうち未使用機能の使用をユーザに対して積極的に喚起することができる。
【００８８】
（実施の形態２）
次に、実施の形態２の携帯電話機１００の構成及び動作について、図１、図７〜図１１を参照して説明する。
【００８９】
実施の形態２では、携帯電話機の構成は実施の形態１と同様とし、実行されたメール機能における文字入力機能の絵文字及び顔文字の合計使用回数を基に文字使用傾向を判定すると共に、判定された文字使用傾向を、娯楽性の高い機能の使用状況情報として出力部に出力する。
【００９０】
図７は、実施の形態２の機能使用状況情報１２０ａの一例をテーブル形式で表した説明図である。図８は、実施の形態２の文字使用傾向判定情報１２１ａの一例をテーブル形式で表した説明図である。
【００９１】
図７の機能使用状況情報１２０ａは、機能及び合計使用回数の各項目を含む構成であり、例えばメール送信機能の合計使用回数は９９９回であり、絵文字入力機能の合計使用回数は１４９回であり、顔文字入力機能の合計使用回数は１９９回である。
【００９２】
図８の文字使用傾向判定情報１２１ａは、絵文字顔文字使用頻度及び文字使用傾向の各項目を含む構成であり、例えば絵文字顔文字使用頻度が０（ゼロ）である場合には、文字使用傾向は「かなり男性的」となる。
【００９３】
以下、絵文字顔文字使用頻度は、１回のメール送信機能において絵文字又は顔文字が使用された割合と定義する。
【００９４】
同様に、絵文字顔文字使用頻度が「０より大きく０．５未満」である場合には、文字使用傾向は「やや男性的」である。
【００９５】
同様に、絵文字顔文字使用頻度が「０．５以上で３未満」である場合には、文字使用傾向は「標準的」である。
【００９６】
同様に、絵文字顔文字使用頻度が「３以上で５未満」である場合には、文字使用傾向は「やや女性的」である。
【００９７】
同様に、絵文字顔文字使用頻度が「５以上」である場合には、文字使用傾向は「女性的」である。
【００９８】
図９は、実施の形態２における出力部１１５の出力例を表す表示例である。図１０は、実施の形態２における機能使用状況の出力例を表す表示例である。
【００９９】
図９において、出力部１１５には、携帯電話機１００のユーザに対し、「あなたの文字使用傾向は［やや男性的］です。」というメッセージ、及びリンク付きの機能使用状況４０１ａが表示されている。
【０１００】
図９において、ユーザの操作に応じてリンク付きの機能使用状況４０１ａが選択された場合には、図１０に表す様に、出力制御部１１４は、出力部１１５に文字使用傾向が出力された時点における携帯電話機１００の文字使用状況を出力する。なお、図１０に表した文字使用傾向は、携帯電話機１００における文字使用傾向の一例である。
【０１０１】
次に、実施の形態２において出力内容生成部１１９の動作を、図１１を参照して説明する。図１１は、実施の形態２の出力内容生成部１１９の動作を説明するフローチャートである。
【０１０２】
図１１では、ユーザが携帯電話機１００のメール送信機能において絵文字又は顔文字を使用した場合の動作を説明する。
【０１０３】
図１１において、ユーザが携帯電話機１００のメール送信機能、絵文字入力機能及び顔文字入力機能を実行（使用）した後（Ｓ２０１、ＹＥＳ）、出力内容生成部１１９は、機能使用状況情報１２０ａ（図７参照）を記憶部１１２から読み出し（Ｓ２０２）、機能使用状況情報１２０ａのメール送信機能、絵文字入力機能及び顔文字入力機能の各合計使用回数を、「１０００」、「１５０」及び「２００」に更新する（Ｓ２０２）。
【０１０４】
出力内容生成部１１９は、ステップＳ２０２において更新した機能使用状況情報１２０ａから、メール送信機能の合計使用回数に対する絵文字入力機能及び顔文字入力機能の各合計使用回数をカウントする（Ｓ２０３）。ステップＳ２０２において更新した機能使用状況情報１２０ａにおいては、メール送信機能の合計使用回数は１０００回で、絵文字入力機能の合計使用回数は１５０回で、顔文字入力機能の合計使用回数は２００回である。このため、出力内容生成部１１９は、絵文字顔文字使用頻度を、（１５０＋２００）／１０００＝０．３５と計算する。
【０１０５】
ステップＳ２０３の後、出力内容生成部１１９は、文字使用傾向判定情報１２１ａを記憶部１１２から読み出して（Ｓ２０４）、絵文字顔文字使用頻度を基に、ユーザの携帯電話機１００における文字使用傾向を判定する（Ｓ２０５）。
【０１０６】
出力内容生成部１１９は、ステップＳ２０５において前回判定したときの文字使用傾向と比較する（Ｓ２０６）。なお、前回判定したときの文字使用傾向は、記憶部１１２に記憶されているとする。前回判定したときの文字使用傾向はやや女性的であるとする。
【０１０７】
ステップＳ２０６において判定された文字使用傾向と同一であると（Ｓ２０６、ＹＥＳ）、出力内容生成部１１９は特に何も実施せず、図１１のフローチャートの処理は終了する。
【０１０８】
ステップＳ２０６において判定された文字使用傾向と同一でない場合（Ｓ２０６、ＮＯ）、出力内容生成部１１９は表示内容（図９参照）を生成し（Ｓ１０８）、図１１のフローチャートの処理は終了する。
【０１０９】
以上により、実施の形態２の携帯電話機１００は、ユーザに対し、携帯電話機１００の文字使用傾向という娯楽性の高い内容で携帯電話機１００の機能使用状況を認識させる。これにより、携帯電話機１００によれば、ユーザが図９の出力内容を見た場合に、図１０の機能使用状況情報をユーザに対して出力可能にすることで、全機能のうち未使用機能の使用をユーザに対して積極的に喚起することができる。
【０１１０】
例えば、「かなり男性的」あるいは「やや男性的」という分析結果が得られた場合には、実施の形態２の携帯電話機１００は、ユーザに対し、女性的な使用方法ということに興味を持たせる様になり、メール送信機能の使用時に絵文字入力機能及び顔文字入力機能を使ってみようという意欲を喚起するという効果を奏する。
【０１１１】
以上、図面を参照しながら各種の実施の形態について説明したが、本発明はかかる例に限定されないことは言うまでもない。当業者であれば、特許請求の範囲に記載された範疇内において、各種実施の形態の変更例または修正例、更に各種実施の形態の組み合わせ例に想到し得ることは明らかであり、それらについても当然に本発明の技術的範囲に属するものと了解される。
【０１１２】
例えば、携帯電話機１００は記憶部１１２を含む様に構成されているが、例えば、記憶部１１２は携帯電話機１００とは別の機器等が含む様に構成されても良い。この場合、無線通信部１１６が当該別の機器と通信することにより、記憶部１１２の各情報を読み出したり、書き込んだりする。
【０１１３】
なお、上述した各実施の形態では、携帯電話機１００の機能は階層化されているが、特に階層化されている必要はない。
【０１１４】
なお、上述した各実施の形態における各機能使用状況情報は、ユーザの操作によりリセットされても良い。
【０１１５】
なお、上述した各実施の形態では、習得機能数の定義として、過去１年以内に使用され、且つ合計２回以上使用された機能の数としたが、この内容に限定されない。例えば、習得機能数を、過去１年以内に使用された機能の数を用いて決定しても良いし、単に機能の合計使用回数（累計）を用いて決定してもよい。
【０１１６】
なお、上述した各実施の形態では、出力内容生成部１１９が動作するための一定の条件として、ユーザの操作に応じて携帯電話機１００の任意の機能が実行されたときとした。
【０１１７】
しかし、一定の条件としては、上述したときに限定されず、例えば、携帯電話機１００の電源オン時、ユーザの操作に応じて画面が消灯状態から点灯状態に切り替わったタイミング、又は常に習熟レベルを表示する様にしても良い。
【０１１８】
なお、図４又は図９の機能使用状況のリンクは必ずしも必要ではない。
【０１１９】
なお、携帯電話機１００の機能の使用回数に応じて習熟レベル又は文字使用傾向を判定しなくても良く、例えば使用ポイントに応じて習熟レベル又は文字使用傾向を判定しても良い。この場合、例えば携帯電話機１００の使用ポイントは、携帯電話機１００の機能毎に重み付けられた使用ポイントが設定可能である。
【産業上の利用可能性】
【０１２０】
本発明にかかる電子機器は、電子機器のユーザに対して機能の使用状況情報を娯楽性の高い内容として出力することによって、ユーザは積極的に未使用機能を使用させることが可能になり、多くの機能を持つ電子機器全般に対して有用である。特に携帯電話機のようにパーソナル性の強い機器で特に効果的である。
【符号の説明】
【０１２１】
１００  電子機器
１１１  入力部
１１２  記憶部
１１３  制御部
１１４  出力制御部
１１５  出力部
１１６  無線通信部
１１７  ＲＯＭ
１１８  ＲＡＭ
１１９  出力内容生成部
１２０  機能使用状況情報
１２１  習熟レベル判定情報
ＡＮ  アンテナ
ＢＳ  内部バス
ＣＬＫ  内部時計
【図１】
2012226518.tif 000003
【図２】
2012226518.tif 000004
【図３】
2012226518.tif 000005
【図４】
2012226518.tif 000006
【図５】
2012226518.tif 000007
【図６】
2012226518.tif 000008
【図７】
2012226518.tif 000009
【図８】
2012226518.tif 000010
【図９】
2012226518.tif 000011
【図１０】
2012226518.tif 000012
【図１１】
2012226518.tif 000013
【図１２】
2012226518.tif 000014
【図１３】
2012226518.tif 000015